(57)【特許請求の範囲】
【請求項１】
シートクッションの側部から上方に向けて立ち上がる立壁部分と、該立壁部分からシート幅方向の内側に向けて庇状に張り出す天板部分と、を有するアームレストの着座者の身体側に面を向ける内張り構造を成す乗物用内装トリムであって、
前記内張り構造は、その内装面を構成する通気構造を備えた表層部材と、該表層部材により覆われた裏側領域に設けられた熱源と、前記熱源により温冷された空気を前記裏側領域から前記表層部材の前記通気構造を通して外部に吹き出す送風構造と、を有し、
前記熱源は、前記表層部材に沿って前記裏側領域で熱媒体を流通させる流通管として構成され、
前記裏側領域に前記送風構造によって送られる空気を該裏側領域内で流す通風路が、前記流通管の横断面の外周面全体を取り囲むように形成され、
前記通気構造は、前記表層部材の所々の箇所に空けられた複数の通気孔から成り、
前記複数の通気孔は、前記流通管とシート幅方向に対向する対向域と、該対向域から外れた対外域と、に跨って形成され、
前記対向域において、前記複数の通気孔が前記対外域よりも密に集められて通気性が高められ、
前記通風路を通って温冷された空気が、前記複数の通気孔を通ってシート幅方向の内側に向かって吹き出すと共に、前記熱源の輻射熱が、前記天板部分から外部に伝えられる乗物用内装トリム。
【請求項２】
請求項１に記載の乗物用内装トリムであって、
前記熱源は、前記アームレストの前記立壁部分と前記天板部分とに設けられており、前記天板部分の底面部から前記熱源の輻射熱が下向きに放射されるようになっている乗物用内装トリム。
【請求項３】
請求項１又は請求項２に記載の乗物用内装トリムであって、
前記裏側領域に、前記送風構造の送風出力の強弱により該送風構造により送られる空気の流通を許容したり阻止したりするフィルタが設けられ、前記送風構造が前記フィルタにより空気の流通を阻止される送風出力とされている時には該送風構造により送られる空気が前記表層部材の前記通気構造を通して外部に吹き出されるが、前記フィルタを通過して空気が送り出される送風出力の時には更に前記フィルタを通過した空気が別の箇所から外部に吹き出されるようになっている乗物用内装トリム。
【発明の詳細な説明】
【技術分野】
【０００１】
本発明は、乗物用内装トリムに関する。詳しくは、乗物の内装面を構成する通気構造を備えた表層部材と、表層部材により覆われた裏側領域に設けられた熱源と、を有する乗物用内装トリムに関する。
【背景技術】
【０００２】
従来、自動車の車室内に、輻射熱で暖房を行う輻射放熱器が設けられた構成が知られている（特許文献１）。上記輻射放熱器は、フロアカーペットを熱放射面とする輻射放熱構造とされている。
【先行技術文献】
【特許文献】
【０００３】
【特許文献１】特開２００８−２５４６６５号公報
【発明の概要】
【発明が解決しようとする課題】
【０００４】
しかし、上記従来技術のように、輻射放熱器から放射される輻射熱のみで暖房する構成では、急速な暖房を行うといったような効率的な暖房を行うことができない。本発明は、上記問題を解決するものとして創案されたものであって、本発明が解決しようとする課題は、乗物用内装トリムに効率的な冷暖房を行える構成を設定することにある。
【課題を解決するための手段】
【０００５】
上記課題を解決するために、本発明の乗物用内装トリムは次の手段をとる。
【０００６】
第１の発明は、乗物の内装面を構成する通気構造を備えた表層部材と、表層部材により覆われた裏側領域に設けられた熱源と、を有する乗物用内装トリムであって、更に、熱源により温冷された空気を裏側領域から表層部材の通気構造を通して外部に吹き出す送風構造を有するものである。
【０００７】
この第１の発明によれば、熱源から出る輻射熱が表層部材或いは通気構造を通って外部に伝達されることに加え、熱源により温冷された空気が送風構造により表層部材の通気構造を通って外部に吹き出されるようになる。このような構成により、送風構造のない構成と比べて、より効率的な冷暖房を行うことができる。
【０００８】
第２の発明は、上述した第１の発明において、次の構成とされているものである。裏側領域に送風構造によって送られる空気を裏側領域内で流す通風路が形成されている。通風路が熱源の外周面全体を取り囲むように形成されている。
【０００９】
この第２の発明によれば、裏側領域から外部に吹き出す空気をより効率的に温冷することができる。
【００１０】
第３の発明は、上述した第１又は第２の発明において、次の構成とされているものである。熱源が、表層部材に沿って裏側領域で熱媒体を流通させる流通管として構成されている。
【００１１】
この第３の発明によれば、熱源を表層部材に沿った広い範囲に亘って簡便に設けることができる。
【００１２】
第４の発明は、上述した第１から第３のいずれかの発明において、次の構成とされているものである。通気構造が、表層部材の面内方向における熱源と対向する対向域と対向域から外れた対外域とに跨って形成されて、対向域において対外域よりも通気性の高められた構成とされている。
【００１３】
この第４の発明によれば、熱源から出る輻射熱及び熱源により温冷された空気を、その対向域に形成された表層部材の通気性の高められた通気構造を通して外部に効率的に出すことができる。
【００１４】
第５の発明は、上述した第４の発明において、次の構成とされているものである。通気構造が、表層部材の所々の箇所に空けられた複数の通気孔により形成されており、対向域において複数の通気孔が対外域よりも密に集められて通気性の高められた構成とされている。
【００１５】
この第５の発明によれば、通気孔の疎密により通気性を簡便に調整することができる。
【００１６】
第６の発明は、上述した第１から第５のいずれかの発明において、次の構成とされているものである。乗物用内装トリムが、乗物用シートの側部に設けられた側壁構造における着座者の身体に横側から面を向ける内張り構造として構成されている。
【００１７】
この第６の発明によれば、乗物用シートの着座者の身体に向けて、横方向から効果的に温冷感を付与することができる。
【００１８】
第７の発明は、上述した第６の発明において、次の構成とされているものである。側壁構造が、その天板部分にアームレストを備える構成とされ、側壁構造内に設けられた熱源の輻射熱が、アームレストの天板面から外部に伝えられる構成とされている。
【００１９】
この第７の発明によれば、アームレストに置かれる肘にも、熱源の輻射熱による温冷感を付与することができる。
【００２０】
第８の発明は、上述した第７の発明において、次の構成とされているものである。アームレストが、側壁構造からシート幅方向の内側に向けて庇状に張り出す形状とされている。アームレストの庇状に張り出す部分にも熱源が設けられて、アームレストの庇状に張り出す部分の底面部から熱源の輻射熱が下向きに放射されるようになっている。
【００２１】
この第８の発明によれば、アームレストの庇状に張り出す部分の底面部から放射される輻射熱により、同アームレストの下方部に位置付けられる着座者の大腿部付近にも温冷感を付与することができる。
【００２２】
第９の発明は、上述した第１から第８のいずれかの発明において、次の構成とされているものである。裏側領域に、送風構造の送風出力の強弱により送風構造により送られる空気の流通を許容したり阻止したりするフィルタが設けられている。送風構造がフィルタにより空気の流通を阻止される送風出力とされている時には、送風構造により送られる空気が表層部材の通気構造を通して外部に吹き出されるが、フィルタを通過して空気が送り出される送風出力の時には、更にフィルタを通過した空気が別の箇所から外部に吹き出されるようになっている。
【００２３】
この第９の発明によれば、送風構造の送風出力を強めることにより、送風構造により送られる空気を更に別の箇所から吹き出させるようにすることができ、同吹き出しにより冷暖房の効率を更に高めるなどの活用をすることができる。
【図面の簡単な説明】
【００２４】
【図１】実施例１の乗物用シートの概略構成を表した斜視図である。
【図２】アームレストの分解斜視図である。
【図３】乗物用シートの側面図である。
【図４】図３の内部構造を可視化して表した側面図である。
【図５】図３のV-V線断面図である。
【発明を実施するための形態】
【００２５】
以下に、本発明を実施するための形態について、図面を用いて説明する。
【実施例１】
【００２６】
《シート１の基本構成について》
始めに、実施例１の乗物用内装トリム（内張り構造２０）が適用されたシート１（乗物用シート）の構成について、図１〜図５を用いて説明する。なお、以下の説明において、「シート幅方向」「シート高さ方向」のように、各種方向に「シート」を付して示す場合には、シート１を基準とした各種方向を示すものとする。本実施例のシート１は、図１に示すように、自動車の右側座席として構成されており、着座者の背凭れ部となるシートバック２と、着座部となるシートクッション３と、肘置き部となる左右一対のアームレスト４と、を備えた構成とされている。
【００２７】
上述したシートバック２は、その上部領域に着座者の頭凭れ部となるヘッドレスト部を一体的に備えた、いわゆるハイバックタイプの構成とされている。シートクッション３は、車両のフロア上に設置されて、その後部箇所にシートバック２が連結された構成とされている。各アームレスト４は、シートクッション３の左右両側部にそれぞれ連結されて設けられた構成とされている。これらアームレスト４は、具体的には、シートクッション３の左右両側部から上方側に立ち上がる立壁部分４Ａと、各立壁部分４Ａの上側の縁部からシート幅方向の内側に折れ曲がる形で庇状に張り出す天板部分４Ｂと、を有する構成とされている。
【００２８】
各アームレスト４は、それらの立壁部分４Ａが、着座者の尻部や大腿部をシート幅方向の外側から覆った状態となって設けられている。そして、各アームレスト４は、それらの天板部分４Ｂ上に、着座者の肘をのせることができるようになっている。これら天板部分４Ｂは、各立壁部分４Ａの上側の縁部からシート幅方向の内側に折れ曲がる形で張り出す形状とされていることにより、それらの庇状に張り出す部分が、着座者の大腿部の上側に覆い被さる形で設けられる構成とされている。上記構成により、各アームレスト４は、それらの間で着座者の大腿部を外周側から包み込むように囲いを形成した状態に設けられた状態とされている。
【００２９】
上述した各アームレスト４には、着座者に輻射熱による温冷感を付与することのできる熱源（流通管２３）と、同熱源（流通管２３）により温冷された空気を着座者に向かって吹き出すことのできる送風構造２６と、が設けられている。上記熱源（流通管２３）や送風構造２６は、各アームレスト４の立壁部分４Ａや天板部分４Ｂからそれぞれ着座者に向かって温冷感を付与することができるように構成されている。
【００３０】
《アームレスト４の具体的な構成について》
以下、上述した各アームレスト４の具体的な構成について詳しく説明する。なお、各アームレスト４は、互いに左右対称となる実質的に同一の構成とされているため、以下では、これらを代表して、図１の紙面向かって右側となるシート１の左側に配置されたアームレスト４の構成について詳しく説明していくこととする。図２に示すように、アームレスト４は、その内部骨格を構成するアームフレーム１０と、アームレスト４の内周側の意匠面を構成する内張り構造２０と、アームレスト４の外周側の意匠面を構成する外張り構造３０と、によって概略構成されている。
【００３１】
上述したアームフレーム１０は、プレス加工された一枚の鋼板材により形成されている。具体的には、アームフレーム１０は、上述したアームレスト４の立壁部分４Ａの内部骨格を構成する略平板状に立ち上がるサイドフレーム部１１と、サイドフレーム部１１の上側の縁部からシート幅方向の内側に折り曲げられて天板部分４Ｂの内部骨格を構成する略平板状の天板フレーム部１２と、を有する構成とされている。上述したサイドフレーム部１１は、シート幅方向に面を向ける形に形成されている。また、天板フレーム部１２は、シート高さ方向に面を向ける形に形成されている。上述したアームフレーム１０は、その下端部がシートクッション３（図１参照）の図示しないサイド骨格に一体的に結合されて固定された状態とされている。なお、アームフレーム１０は、樹脂等の金属以外の材料から成るものであってもよい。
【００３２】
外張り構造３０は、インジェクション成形されたポリエチレン樹脂製の板材から成るアウタシールド３１によって構成されている。上記アウタシールド３１は、上述したアームフレーム１０にシート幅方向の外側から図示しないクリップ等の締結具を用いて一体的に組み付けられている。上記組み付けにより、アウタシールド３１は、図５に示すように、上述したアームフレーム１０に対して、その高さ方向に略平板状に立ち上がる側板面部３１Ａによりサイドフレーム部１１全体を外周側（シート幅方向の外側）から広く覆うと共に、上記側板面部３１Ａの上側の縁部からシート幅方向の内側に庇状に張り出す形で延びる天板面部３１Ｂにより天板フレーム部１２全体も外周側（上側）から広く覆った状態に設けられた状態とされている。なお、アウタシールド３１は、ポリプロピレン樹脂等の他の樹脂材から成るものの他、ファブリックや皮革、金属等の樹脂以外の材料から成るものであってもよい。
【００３３】
内張り構造２０は、図２に示すように、インジェクション成形されたポリエチレン樹脂製の板材から成るインナシールド２１と、インナシールド２１の外周側の面上（シート幅方向の外側面上）に貼り付けられたメッシュ２２と、ポリエチレン樹脂製の管部材から成る流通管２３と、ポリエチレン樹脂製の板材から成るダクト２４と、発泡スチロール製の板材から成る断熱材２５と、上述した送風構造２６と、を備えた構成とされている。ここで、インナシールド２１が本発明の「表層部材」に相当し、流通管２３が本発明の「熱源」に相当する。
【００３４】
上述したインナシールド２１は、上述したアームフレーム１０にシート幅方向の内側から図示しないクリップ等の締結具を用いて一体的に組み付けられている。上記組み付けにより、インナシールド２１は、図５に示すように、上述したアームフレーム１０に対して、その高さ方向に略平板状に立ち上がる側板面部２１Ａによりサイドフレーム部１１全体を内周側（シート幅方向の内側）から広く覆うと共に、上記側板面部２１Ａの上側の縁部からシート幅方向の内側に庇状に張り出す形で延びる天板面部２１Ｂにより天板フレーム部１２全体も内周側（下側）から広く覆った状態に設けられた状態とされている。上述したインナシールド２１の各外周縁部には、上述したアウタシールド３１の外周縁部に密閉状態で組み付けられるように突出するフランジ部２１Ｃが形成されている。上記フランジ部２１Ｃを有する構成により、インナシールド２１は、上述したアウタシールド３１に対して、互いの間で閉じた密閉空間を形成した状態に組み付けられるようになっている。
【００３５】
図２及び図５に示すように、上述したインナシールド２１の側板面部２１Ａと天板面部２１Ｂとには、これらに通気性を付与する無数の通気孔２１Ｄが貫通して形成されている。これら通気孔２１Ｄは、上述した側板面部２１Ａのシートクッション３の上側に張り出す領域の略全域に亘って広く散在する形に設けられた状態とされている。詳しくは、上記各通気孔２１Ｄは、上述した側板面部２１Ａにおける、後述する流通管２３がシート幅方向に隣り合って配索される領域である中央の対向域２１Ｘにおいて、同対向域２１Ｘから外れた外周縁側の対外域２１Ｙよりも、多数密集し、かつ、個々の孔形状も大型化された形に形成された状態とされている。また、図５に示すように、上述した各通気孔２１Ｄは、上述した天板面部２１Ｂの略全域においても広く散在する形に設けられた状態とされている。なお、各通気孔２１Ｄの個々の形状は、丸孔形状の他、ダイヤモンド形状その他の多角孔形状等、どのような形状から成るものであってもよい。
【００３６】
また、上述したインナシールド２１の天板面部２１Ｂの庇状に張り出した先の縁部からアウタシールド３１の天板面部３１Ｂの庇状に張り出した先の縁部に向かって立ち上がるフランジ部２１Ｃには、シート幅方向の内側に向けて開口するシート前後方向に長尺なスリット２１Ｅが貫通して形成されている。上記各通気孔２１Ｄ及びスリット２１Ｅの形成により、上述したインナシールド２１には、そのアウタシールド３１により覆われた裏側領域（外周側領域）の空気を後述する送風機ＦＵの作動により外部に吹き出すことのできる送風構造２６が形成された構成とされている。なお、インナシールド２１も、ポリプロピレン樹脂等の他の樹脂材から成るものの他、ファブリックや皮革、金属等の樹脂以外の材料から成るものであってもよい。
【００３７】
図２に示すように、メッシュ２２は、高い通気性を備えた薄肉面状のファブリックにより形成されている。上記メッシュ２２は、上述したインナシールド２１の側板面部２１Ａと天板面部２１Ｂとに跨って外周側から重ね合わされた状態に貼着されて、これら側板面部２１Ａや天板面部２１Ｂに形成された上述した各通気孔２１Ｄを外周側から覆った状態とされている。上記構成により、インナシールド２１に形成された各通気孔２１Ｄが内外に通気可能にフィルタリングされて、異物を出入りさせにくい構成とされている。
【００３８】
流通管２３は、ポリエチレン樹脂製の可撓性に富んだ長尺な円管状部材により形成されている。上述した流通管２３は、図３〜図４に示すように、その両端部分がシートクッション３の下部に設けられた熱交換器ＨＵに接続されて、そこから延びる管路部分がアームレスト４内に通された状態として設けられている。上記流通管２３は、上述した熱交換器ＨＵによって加熱或いは冷却された熱媒体ＨＭ（不凍液）をその内部で流通させてアームレスト４内で循環させることにより、アームレスト４内から着座者に向かって熱媒体ＨＭの熱を放射させて温冷感を付与するものとなっている。なお、流通管２３は、ポリエチレン樹脂以外の樹脂材の他、銅管等の金属管から成るものであってもよい。また、円管の他、角管その他の異形管から成るものであってもよい。また、流通管２３の内部に流通させる熱媒体ＨＭは、不凍液以外の液体の他、空気等の気体であってもよい。
【００３９】
上述した流通管２３は、詳しくは、図１に示すように、上述した熱交換器ＨＵからアームレスト４内に通された上流側の管路部分が、アームレスト４内の立壁部分４Ａの前部領域を通って天板部分４Ｂの前部領域まで立ち上がる形に配設されている。そして、上記流通管２３は、上述したアームレスト４の天板部分４Ｂ内の前部領域から、同天板部分４Ｂの後部領域まで後側に曲げ返されて、更にそこから前部領域まで折り返されるように曲げ返されて、そこからアームレスト４の立壁部分４Ａ内へと落とされるように通された状態とされている。そして、上記流通管２３は、上記立壁部分４Ａ内においても、その前部領域から後部領域へと前後方向に繰り返し波状にうねる形に曲げ返されながら下側へと落とし込まれていき、その先の下流側の管路部分がアームレスト４外へと通し出されて熱交換器ＨＵへと戻されるように配設されている。
【００４０】
上記構成により、流通管２３は、その上流側の管路部分がアームレスト４内の天板部分４Ｂ及び立壁部分４Ａの上部領域において前後方向に長い経路を辿って下方側に徐々に落とし込まれていくように配設された状態とされている。その結果、熱媒体ＨＭの加熱或いは冷却された熱が、アームレスト４内の天板部分４Ｂ及び立壁部分４Ａの上部領域を通る流通管２３の管路部分から外部に向かって効率的に発せられるようになっている。
【００４１】
詳しくは、上記流通管２３から発せられた熱は、インナシールド２１の天板面部２１Ｂや側板面部２１Ａに熱放射により伝えられて、これら天板面部２１Ｂや側板面部２１Ａを介して着座者の大腿部に上側や横側から熱放射されて伝えられるようになっている。また、上記流通管２３から発せられた熱は、上述したインナシールド２１の天板面部２１Ｂや側板面部２１Ａの通気孔２１Ｄが形成された領域においては、これら天板面部２１Ｂや側板面部２１Ａの形状そのものを介することなく、これら通気孔２１Ｄを通して直接、着座者の大腿部に上側や横側から効率的に熱放射されて伝えられるようになっている。上記構成により、着座者に対して快適な温冷感を付与することができるようになっている。
【００４２】
上述した流通管２３は、その所々の管路部分が、後述する断熱材２５の所々の箇所に位置固定されて取り付けられた状態とされている。しかし、上記流通管２３は、その略全域の管路部分が、上述した断熱材２５とインナシールド２１とに対して、それぞれ、外周面全体に亘って隙間が空けられた状態に設けられていて、これらとの間に空気を流通させられる通風路Ａを形成した状態とされている。
【００４３】
ダクト２４は、図２に示すように、一枚の鋼板材が横断面略Ｕ字状の開断面形状にプレス加工されて形成されている。上記ダクト２４は、上述したアームフレーム１０のサイドフレーム部１１の前部領域にシート幅方向の内側から組み付けられることで、同サイドフレーム部１１との間で略矩形状に閉じた横断面形状となる管路を形成した状態にセットされるようになっている。上記組み付けにより、ダクト２４は、サイドフレーム部１１の内周側の前部領域に、同前部領域に沿って高さ方向に延びる管路を形成した状態とされるようになっている。上記ダクト２４は、その下端部が、シートクッション３の下部に設けられた送風機ＦＵに接続されて、同送風機ＦＵから送られてきた風をその内部に沿って上方側へと流通させるようになっている。上記送風により、ダクト２４は、その内部に通された風を、その後側の壁部に形成された高さ方向に並ぶ複数の貫通孔２４Ａから後側へと吹き出すようになっている（図３〜図４参照）。
【００４４】
上記ダクト２４の上端は、図２で上述したサイドフレーム部１１の内周側の上部領域に、上側に開口した形となって設けられた状態とされている。上記ダクト２４の上端側の開口には、通気性を備えたファブリック製のフィルタ２４Ｂが開口を覆うように被せ付けられた状態とされている。上記フィルタ２４Ｂは、上述した送風機ＦＵの送風出力が弱い時には、図４の細い矢印で示すように、送風機ＦＵから送られた風の流通を阻止して、送風機ＦＵから送り出される風を、上述した各貫通孔２４Ａからしか吹き出させないように上端側の開口を塞ぐ機能をするようになっている。また、上記フィルタ２４Ｂは、上述した送風機ＦＵの送風出力が強い時には、図４の白抜き矢印で示すように、送風機ＦＵから送り出された風を上側へと通過させて外部へ吹き出させるように機能するようになっている。
【００４５】
上述したダクト２４に形成された各貫通孔２４Ａは、上述した流通管２３の前後方向に直線状に延びる各直線部分２３Ａの略真ん前のところに位置して、各貫通孔２４Ａから吹き出された風を流通管２３の各直線部分２３Ａの外周面に沿って後側へと流すようになっている。上記構成により、各貫通孔２４Ａから吹き出された風は、流通管２３の周囲を通ることで流通管２３からの輻射熱を受けて温冷されながら、インナシールド２１の側板面部２１Ａの裏側領域内を方々に流通し、図５に示すように、同側板面部２１Ａに形成された各通気孔２１Ｄから外部へと吹き出されるようになっている。
【００４６】
また、図４の白抜き矢印で示すように、上述した送風機ＦＵの出力が強められて、上述したダクト２４のフィルタ２４Ｂが張られた上端側の開口から風が吹き出された時には、その風は、上側へと流されて、インナシールド２１の天板面部２１Ｂの裏側領域（上側領域）内へと流されるようになっている。そして、上記インナシールド２１の天板面部２１Ｂの裏側領域（上側領域）へと流された風は、同天板面部２１Ｂの裏側領域に沿って後側へと流されて、図５に示すように、同天板面部２１Ｂの裏側領域に沿って設けられた流通管２３の周囲を通ることで同流通管２３からの輻射熱を受けて温冷されながら、同天板面部２１Ｂに形成された各通気孔２１Ｄから外部（下部）へと吹き出されるようになっている。また、併せて、上記天板面部２１Ｂの裏側領域（上側領域）内へと流された風は、天板面部２１Ｂの庇状に張り出した先の縁部に形成されたスリット２１Ｅからも、外部へと吹き出されるようになっている。
【００４７】
上記構成により、上述した側板面部２１Ａの各通気孔２１Ｄから吹き出される温冷された風に加えて、天板面部２１Ｂの各通気孔２１Ｄやスリット２１Ｅから吹き出される温冷された風も着座者に吹き付けられるようになる。したがって、着座者に対してより効率的な冷暖房を行うことができる。詳しくは、上記スリット２１Ｅから吹き出される風により、両アームレスト４の天板部分４Ｂの間には、上述した各通気孔２１Ｄから吹き出された風や流通管２３から放射される輻射熱を外部に逃がしにくくするように作用するエアカーテンが形成されるようになっている。上記構成により、着座者に対してより効率的な冷暖房を行うことができるようになっている。
【００４８】
図２に示すように、断熱材２５は、発泡スチロール製の板材により形成されている。上記断熱材２５は、図５に示すように、上述したアームフレーム１０のサイドフレーム部１１の内周面（シート幅方向の内側面）上に重ね合わされた状態に組み付けられて、上述した流通管２３から放射される輻射熱がアームフレーム１０を伝って外部へ放出されてしまうことを防止する機能をするものとなっている。上述した断熱材２５は、上述した流通管２３のインナシールド２１の側板面部２１Ａの裏側領域に配された部分全体を外周側（シート幅方向の外側）から広く覆って、同部分から放射される輻射熱を外部に漏出させないようになっている。
【００４９】
上述した断熱材２５は、上述したインナシールド２１の天板面部２１Ｂの裏側領域までは延びておらず、側板面部２１Ａの裏側領域でのみ流通管２３を外周側から覆った状態として設けられている。詳しくは、上記断熱材２５は、その流通管２３と対向する内周側の面部に、流通管２３の管路形状との直接接触を避けるように流通管２３の管路形状よりもひとまわり大きな形に凹んだ凹面２５Ａが形成されている。上記凹面２５Ａにより、上述した断熱材２５と流通管２３の各管路部分との間には、互いの対向する領域の全域に亘って隙間が形成された状態とされている。上記構成により、流通管２３の各管路部分の周囲には、その全周域に亘って空気を流通させられる通風路Ａが形成された状態とされている。上述した凹面２５Ａは、図２で上述したダクト２４の各貫通孔２４Ａから後側に向かって吹き出される風が流通管２３の各管路部分に当てられる流れを遮ることがないよう、上述した凹み形状が前側まで連続的に延びて前側に開口した形となって形成されている。
【００５０】
上述した断熱材２５は、図５に示すように、その上下側の各縁部と後側の縁部とが前述したインナシールド２１の外周面に密着した状態として設けられている。上記構成により、断熱材２５は、図４で前述したダクト２４の各貫通孔２４Ａから後側に吹き出された風が、断熱材２５の配設領域を越えて上下方向や後方向に漏れ出てしまうことを抑止して、インナシールド２１の側板面部２１Ａの裏側領域内のみで風を流通させて、上述した各通気孔２１Ｄから外部へと集中的に風を吹き出させられるようになっている。
【００５１】
上述した断熱材２５は、上述したインナシールド２１の天板面部２１Ｂの裏側領域までは延びていない。そのため、上記インナシールド２１の天板面部２１Ｂの裏側領域に配設された流通管２３から放射された輻射熱は、アームフレーム１０の天板フレーム部１２及びアウタシールド３１の天板面部２１Ｂを伝って着座者の肘が置かれる天板面上に伝えられることとなる。したがって、アームレスト４に置かれる肘にも、上記輻射熱による温冷感を付与することができる。
【００５２】
＜まとめ＞
以上をまとめると、本実施例の乗物用内装トリム（内張り構造２０）は、次のような構成とされている。すなわち、乗物の内装面を構成する通気構造（通気孔２１Ｄ）を備えた表層部材（インナシールド２１）と、表層部材（インナシールド２１）により覆われた裏側領域に設けられた熱源（流通管２３）と、を有する乗物用内装トリム（内張り構造２０）であって、更に、熱源（流通管２３）により温冷された空気を裏側領域から表層部材（インナシールド２１）の通気構造（通気孔２１Ｄ）を通して外部に吹き出す送風構造（送風構造２６）を有するものである。
【００５３】
このような構成とされていることにより、熱源（流通管２３）から出る輻射熱が表層部材（インナシールド２１）或いは通気構造（通気孔２１Ｄ）を通って外部に伝達されることに加え、熱源（流通管２３）により温冷された空気が送風構造（送風構造２６）により表層部材（インナシールド２１）の通気構造（通気孔２１Ｄ）を通って外部に吹き出されるようになる。このような構成により、送風構造（送風構造２６）のない構成と比べて、より効率的な冷暖房を行うことができる。
【００５４】
また、上記裏側領域に送風構造（送風構造２６）によって送られる空気を裏側領域内で流す通風路（通風路Ａ）が形成されている。通風路（通風路Ａ）が熱源（流通管２３）の外周面全体を取り囲むように形成されている。このような構成とされていることにより、裏側領域から外部に吹き出す空気をより効率的に温冷することができる。
【００５５】
また、熱源が、表層部材（インナシールド２１）に沿って裏側領域で熱媒体（熱媒体ＨＭ）を流通させる流通管（流通管２３）として構成されている。このような構成とされていることにより、熱源（流通管２３）を表層部材（インナシールド２１）に沿った広い範囲に亘って簡便に設けることができる。
【００５６】
また、通気構造（通気孔２１Ｄ）が、表層部材（インナシールド２１）の面内方向における熱源（流通管２３）と対向する対向域（対向域２１Ｘ）と対向域（対向域２１Ｘ）から外れた対外域（対外域２１Ｙ）とに跨って形成されて、対向域（対向域２１Ｘ）において対外域（対外域２１Ｙ）よりも通気性の高められた構成とされている。このような構成とされていることにより、熱源（流通管２３）から出る輻射熱及び熱源（流通管２３）により温冷された空気を、その対向域（対向域２１Ｘ）に形成された表層部材（インナシールド２１）の通気性の高められた通気構造（通気孔２１Ｄ）を通して外部に効率的に出すことができる。
【００５７】
また、通気構造が、表層部材（インナシールド２１）の所々の箇所に空けられた複数の通気孔（通気孔２１Ｄ）により形成されており、対向域（対向域２１Ｘ）において複数の通気孔（通気孔２１Ｄ）が対外域（対外域２１Ｙ）よりも密に集められて通気性の高められた構成とされている。このような構成とされていることにより、通気孔（通気孔２１Ｄ）の疎密により通気性を簡便に調整することができる。
【００５８】
また、乗物用内装トリムが、乗物用シート（シート１）の側部に設けられた側壁構造（立壁部分４Ａ）における着座者の身体に横側から面を向ける内張り構造（内張り構造２０）として構成されている。このような構成とされていることにより、乗物用シート（シート１）の着座者の身体に向けて、横方向から効果的に温冷感を付与することができる。
【００５９】
また、側壁構造（立壁部分４Ａ）が、その天板部分にアームレスト（アームレスト４の天板部分４Ｂ）を備える構成とされ、側壁構造（立壁部分４Ａ）内に設けられた熱源（流通管２３）の輻射熱が、アームレスト（アームレスト４の天板部分４Ｂ）の天板面から外部に伝えられる構成とされている。このような構成とされていることにより、アームレスト（アームレスト４）に置かれる肘にも、熱源（流通管２３）の輻射熱による温冷感を付与することができる。
【００６０】
また、アームレスト（アームレスト４の天板部分４Ｂ）が、側壁構造（立壁部分４Ａ）からシート幅方向の内側に向けて庇状に張り出す形状とされている。アームレスト（アームレスト４）の庇状に張り出す部分（天板部分４Ｂ）にも熱源（流通管２３）が設けられて、アームレスト（アームレスト４）の庇状に張り出す部分（天板部分４Ｂ）の底面部から熱源（流通管２３）の輻射熱が下向きに放射されるようになっている。このような構成とされていることにより、アームレスト（アームレスト４）の庇状に張り出す部分（天板部分４Ｂ）の底面部から放射される輻射熱により、同アームレスト（アームレスト４の天板部分４Ｂ）の下方部に位置付けられる着座者の大腿部付近にも温冷感を付与することができる。
【００６１】
また、上記裏側領域に、送風構造（送風構造２６）の送風出力の強弱により送風構造（送風構造２６）により送られる空気の流通を許容したり阻止したりするフィルタ（フィルタ２４Ｂ）が設けられている。送風構造（送風構造２６）がフィルタ（フィルタ２４Ｂ）により空気の流通を阻止される送風出力とされている時には、送風構造（送風構造２６）により送られる空気が表層部材（インナシールド２１）の通気構造（通気孔２１Ｄ）を通して外部に吹き出されるが、フィルタ（フィルタ２４Ｂ）を通過して空気が送り出される送風出力の時には、更にフィルタ（フィルタ２４Ｂ）を通過した空気が別の箇所（インナシールド２１の天板面部２１Ｂの通気孔２１Ｄやスリット２１Ｅ）から外部に吹き出されるようになっている。このような構成とされていることにより、送風構造（送風構造２６）の送風出力を強めることにより、送風構造（送風構造２６）により送られる空気を更に別の箇所（インナシールド２１の天板面部２１Ｂの通気孔２１Ｄやスリット２１Ｅ）から吹き出させるようにすることができ、同吹き出しにより冷暖房の効率を更に高めるなどの活用をすることができる。
【００６２】
＜その他の実施形態について＞
以上、本発明の実施形態を１つの実施例を用いて説明したが、本発明は上記実施例のほか各種の形態で実施することができるものである。例えば、本発明の乗物用内装トリムは、上記実施例で示したような乗物用シートの他にも、ドア、ボディサイド、天井、フロア、コンソール、ダッシュボード、トランクルーム等の種々の内装トリムが対象となるものである。また、本発明の適用対象となる乗物は、自動車や鉄道等の車両の他、航空機、船舶等の他の乗物であってもよい。また、本発明の構成は、乗物用シートにおけるアームレストの他、シートバックやシートクッション、ヘッドレスト、オットマン、キャノピ等の種々のシート構成部材にも適用することができるものである。なお、アームレストは、シートの左右両側部に一対で設けられるものの他、片側のみに設けられるものであってもよく、シートバックからシート前方側にアーム状に延び出すタイプの構成であってもよい。
【００６３】
また、表層部材に設けられる通気構造は、表層部材に部分的な貫通孔を空けることで形成されるものであってもよいが、表層部材そのものを通気性を備えたファブリック等の通気素材によって形成することで持たされるものであってもよい。また、表層部材は、乗物の内装面を構成するものの、別のカバー部材によって外観的に隠される形で設けられるものであってもよい。また、本発明は、断熱材のない構成であっても構わない。
【００６４】
また、熱源となる流通管は、アームレスト内で高さ方向に繰り返し波状にうねるように曲げ返されながら前後方向に延びるように配設されていてもよい。また、熱源としては、熱媒体を流通させる流通管の他、ヒータ線等の電熱線や、その他各種の熱源を用いることができる。また、送風構造は、熱源の周囲の少なくとも一部に風を通すことで熱源により温冷された空気を表層部材の通気構造を通して外部に吹き出せるように構成されたものであればよく、必ずしも熱源の全周に風を通すような構成とされていなくてもよい。また、乗物用シートの側部に設けられる側壁構造は、高さ方向に寸胴な形で延びる形状とされて、その天板面上にアームレストが形成される構成であってもよい。すなわち、アームレストが側壁構造の上縁部からシート幅方向の内側に向けて庇状に張り出す形となって形成されるものはでなく、単に、寸胴状に延びる側壁構造の天板面に形成されるものであってもよい。また、送風出力が高い時にフィルタを通過した空気が外部に吹き出される「別の箇所」は、本発明の乗物用内装トリムを構成する表層部材における別の箇所であってもよいし、表層部材以外の別の箇所であってもよい。
【符号の説明】
【００６５】
１      シート（乗物用シート）
２      シートバック
３      シートクッション
４      アームレスト
４Ａ    立壁部分（側壁構造）
４Ｂ    天板部分
１０    アームフレーム
１１    サイドフレーム部
１２    天板フレーム部
２０    内張り構造（乗物用内装トリム）
２１    インナシールド（表層部材）
２１Ａ  側板面部
２１Ｂ  天板面部
２１Ｃ  フランジ部
２１Ｄ  通気孔（通気構造）
２１Ｅ  スリット
２１Ｘ  対向域
２１Ｙ  対外域
２２    メッシュ
２３    流通管（熱源）
２３Ａ  直線部分
２４    ダクト
２４Ａ  貫通孔
２４Ｂ  フィルタ
２５    断熱材
２５Ａ  凹面
２６    送風構造
３０    外張り構造
３１    アウタシールド
３１Ａ  側板面部
３１Ｂ  天板面部
ＨＭ    熱媒体
ＨＵ    熱交換器
Ａ      通風路
ＦＵ    送風機
【図１】
0006701964.tif 000002
【図２】
0006701964.tif 000003
【図３】
0006701964.tif 000004
【図４】
0006701964.tif 000005
【図５】
0006701964.tif 000006